(57)【要約】【課題】容易にかつ安全にプラグをコンセントから抜くことができる電源コードを提供する。【解決手段】電源コードには、コンセント３の差込口３ａに差し込まれる差込部１ａが突出した筐体を有するプラグ１がコード部２の先端に取り付けられている。プラグ１の筐体内には、ソレノイド４ａと少なくとも部分的に磁性体からなる棒部材４ｂが配置されている。ソレノイド４ａを励起すると、棒部材４ｂはプラグ１の筐体から突出してコンセント３に当接し、棒部材４ｂがコンセント３を押す力の反作用によって、プラグ１がコンセント３から抜かれる。【選択図】図１
2005166405.tif 000002
【特許請求の範囲】
【請求項１】
機器本体から延びるコード部と、
前記機器本体に電力を供給するコンセントに差し込まれる差込部を備える、前記コード部の先端に連結されたプラグと、
前記プラグに配置されたソレノイドと、
前記プラグの筐体内に引っ込んだ位置と、一端が前記プラグの筐体の、前記差込部が突出している面から、該差込部以上に突出した位置との間を移動可能に配置された、少なくとも部分的に磁性体からなる棒部材とを有し、
前記棒部材は、前記ソレノイドが励起された時に、該ソレノイドの磁力によって前記プラグの差込部以上に突出した位置に移動させられる電源コード。
【請求項２】
前記ソレノイドへの電流供給用のスイッチが前記機器本体に設けられている、請求項１に記載の電源コード。
【請求項３】
前記棒部材は、前記プラグの複数の差込部間の中央の位置から突出する、請求項１または２に記載の電源コード。
【請求項４】
機器本体から延びるコード部と、
前記機器本体に電力を供給するコンセントに差し込まれる差込部を有する、前記コード部の先端に連結されたプラグと、
前記プラグからコード部に沿って延びるワイヤーと、
前記ワイヤーの、前記機器本体側の端部を移動させることによって、前記ワイヤーを所定の長さだけ前記コード部に沿ってスライド移動可能にする操作部とを有し、
前記ワイヤーは、前記操作部を介してスライドさせることによって、前記プラグの筐体内に引っ込んだ位置と、前記プラグ側の先端が、前記プラグの筐体の、前記差込部が突出した面から該差込部以上に突出した位置との間を移動する電源コード。
【請求項５】
前記操作部は前記機器本体に配置されている、請求項４に記載の電源コード。
【請求項６】
前記ワイヤーの、前記プラグ側の先端が、前記プラグの複数の差込部間の中央の位置から突出する、請求項４または５に記載の電源コード。
【請求項７】
前記ワイヤーは前記機器本体のアースとして利用されている、請求項４から６のいずれか１項に記載の電源コード。
【発明の詳細な説明】
【技術分野】
【０００１】
本発明は、例えば家庭用ＡＣ電源からの、すなわちコンセントからの電力を必要とする電子・電気機器の電源コードに関する。
【背景技術】
【０００２】
従来の電源コードには、その先端に、コンセントに挿入して接続される電源プラグが設けられている。このような電源コードを用いた電子・電気機器を使用する場合、最初に、電源プラグがコンセントに差し込まれ、使用終了後や、使用場所を変える際には、電源プラグをコンセントから抜く必要がある。従来、電源プラグを差し込んだり、抜いたりする操作は、電源プラグの部分を手で持って実施する必要があった。
【特許文献１】特願平１−２３２６７５号公報
【特許文献２】特願平４−３６９７１号公報
【特許文献３】特開平８−１０６９５０号公報
【特許文献４】特開２０００−２９４３３９号公報
【特許文献５】特開２００２−１１０２９６号公報
【発明の開示】
【発明が解決しようとする課題】
【０００３】
しかしながら、従来の電源コードでは、電子・電気機器の移動や収納時、それを使用していた使用者は、機器本体の操作部付近などの使用場所から電源プラグの部分まで移動して、電源プラグを抜く操作を実施する必要があり、移動する手間がかかるという欠点があった。特に、家庭用掃除機などのように、機器本体を移動させながら使用する機器の場合、別の部屋の掃除を行う際、コンセントを差し替える必要が生じる場合があるが、このような場合、その都度、コンセントのところまで行って電源プラグを抜く必要があり、作業が不効率になってしまうという問題が生じる。
【０００４】
また、電源プラグを抜く際、電源プラグ自体を持たずに、不用意にコード部分を引っ張って抜く操作が行われる場合がある。このような操作をした場合、断線や接触不良などを起こし、場合によっては、発熱・発火・発煙などの事故発生の一因となってしまう懸念がある。
【０００５】
本発明は、このような使用者による電源コードの取り扱いについての課題を背景としてなされたものである。したがって、本発明の目的は、容易にかつ安全にプラグをコンセントから抜くことができる電源コードを提供することにある。
【課題を解決するための手段】
【０００６】
上記の目的を達成するため、本発明の一実施態様の電源コードは、機器本体から延びるコード部と、機器本体に電力を供給するコンセントに差し込まれる差込部を備える、コード部の先端に連結されたプラグと、プラグに配置されたソレノイドと、プラグの筐体内に引っ込んだ位置と、一端がプラグの筐体の、差込部が突出している面から、差込部以上に突出した位置との間を移動可能に配置された、少なくとも部分的に磁性体からなる棒部材とを有し、棒部材は、ソレノイドが励起された時に、ソレノイドの磁力によってプラグの差込部以上に突出した位置に移動させられることを特徴とする。
【０００７】
この構成によれば、使用者は、コンセントに差し込まれたプラグのところまで行って、プラグを直接手で抜かなくても、ソレノイドを励起する操作をすることによって、プラグをコンセントから抜くことができる。この際、コード部に引っ張る力が加わることはない。
【０００８】
ソレノイドを励起するのに用いる、ソレノイドへの電流供給用のスイッチは、機器を使用する使用者が位置する場所の近く、特に、機器本体に設ければ、使用者は、このスイッチを操作してソレノイドを励起し、それによって、プラグをコンセントから抜くことができる。したがって、使用者は、機器本体から離れることなく、プラグをコンセントから抜くことができる。
【０００９】
また、本発明の他の実施態様の電源コードは、機器本体から延びるコード部と、機器本体に電力を供給するコンセントに差し込まれる差込部を有する、コード部の先端に連結されたプラグと、プラグからコード部に沿って延びるワイヤーと、ワイヤーの、機器本体側の端部を移動させることによって、ワイヤーを所定の長さだけコード部に沿ってスライド移動可能にする操作部とを有し、ワイヤーは、操作部を介してスライドさせることによって、プラグの筐体内に引っ込んだ位置と、プラグ側の先端が、プラグの筐体の、差込部が突出した面から差込部以上に突出した位置との間を移動することを特徴とする。
【００１０】
この構成によれば、使用者は、操作部で操作を行なって、ワイヤーをスライドさせることによって、プラグをコンセントから抜くことができる。操作部は、特に、機器本体に配置すれば、使用者は機器本体から離れることなく、プラグをコンセントから抜くことができ、操作が楽になる。
【００１１】
また、この構成では、ワイヤーは、コード部に沿ってプラグ付近まで延びており、機器本体のアースとして利用することも可能である。
【００１２】
各実施態様において、プラグの筐体から突出する棒部材またはワイヤーは、プラグの複数の差込部間の中央の位置から突出するようにすれば、各差込部に均等に真っ直ぐにコンセントの差込口から抜く方向の力を加えて、安定してスムースにプラグをコンセントから抜くことができる。
【発明の効果】
【００１３】
以上説明したように、本発明によれば、簡単にかつ安全にコンセントからプラグを抜く操作を実施することが可能な電源コードを得ることができる。
【発明を実施するための最良の形態】
【００１４】
次に、本発明の実施の形態について図面を参照して詳細に説明する。
（第１の実施形態）
図１〜３は本発明の第１の実施形態の電源コードの模式図である。これらの図は、本発明に係わる構成を分かりやすくするために、一部を透視して示している。
【００１５】
電源コードは、不図示の電子・電気機器本体から延びるコード部２を有しており、その先端には、プラグ１が取り付けられている。プラグ１の筐体からは、例えば壁５に設けられるコンセント３の差込口３ａに差し込まれる差込部１ａが突き出ている。プラグ１の筐体内には、ソレノイド４と、その中心線に沿って移動可能に配置された、少なくとも部分的に磁性体から構成された棒部材４ｂが設けられている。図示していないが、ソレノイド４ａには電線が接続されており、この電線は、コード部２内に延び、機器本体の操作部などの、操作者が容易に操作可能な位置に配置された、ソレノイド４ａへの電流供給用のスイッチに接続されている。棒部材４ｂは、図１，２に示すように、プラグ１の筐体内に引っ込んだ位置と、図３に示すように、プラグ１の筐体の、差込部１ａが設けられた面から、差込部１ａ以上に突出した位置との間をスライド移動可能に取り付けられている。図に示す例では、差込部１ａは２つ設けられており、棒部材４ｂは、これらの差込部１ａ間の中央の位置で突出するようになっている。
【００１６】
図１に示すように、プラグ１を抜いた状態では、棒部材４ｂは、プラグ１内に引っ込んだ位置に位置させることができる。したがって、プラグ１を図２に示すように矢印Ａ方向に差し込む際、棒部材４が邪魔になることはない。次に、プラグ１を抜く際には、使用者がソレノイド４ａへの電流供給スイッチを操作することによって、ソレノイド４ａは、電流が流されて励起される。その結果、ソレノイド４ａによって発生した磁力により、棒部材４ｂは、図３に矢印Ｂで示すように、プラグ１の筐体から突出し、コンセント３に当接する。そして、棒部材４ｂがコンセント３を押す力の反作用として、プラグ１の筐体には、矢印Ｃで示すように、プラグ１の差込部１ａをコンセント３の差込口３ａから抜く方向に力が加わり、それによって、プラグ１はコンセント３から外される。この際、棒部材４ｂが２つの差込部１ａ間の中央の位置から突出することによって、各差込部１ａに、均等に真っ直ぐに差込口３ａから抜く方向の力を加えることができ、それによって、安定してスムースに差込部１ａを差込口３ａから抜くことができる。
【００１７】
以上のように、本実施形態によれば、操作者は、機器を移動させる際など、プラグ１を抜く必要が生じた際、プラグ１とは別の位置に配置されたスイッチを操作して、ソレノイド４ａを励起させることによって、プラグ１をコンセント３から抜くことができる。したがって、操作者は、プラグ１を差し込んだコンセント３まで移動することなく、プラグ１を抜く操作を実施でき、操作が楽になる。また、故障や事故の一因となる、コード部２を引っ張る操作が行われるのを防止することができる。
（第２の実施形態）
次に、図４，５を参照して本発明の第２の実施形態について説明する。図４，５は、本実施形態の電源コードを示す模式図であり、構成を分かりやすくするために、一部を透視して示している。これらの図において、第１の実施形態と同様の部分については、同一の符号を付しており、詳細な説明は省略する。
【００１８】
本実施形態では、コード部２内にワイヤー６が通されている。ワイヤー６は、プラグ１の筐体内から、不図示の機器本体に、またはその近傍に設けられた操作部８まで延びている。操作部８には、コード部２に沿って延びる部分と、この部分から屈曲してコード部２の外側に向かって延びる部分とを有する筒部８ａが設けられ、この筒部８ａ内に、この筒部８ａに沿ってスライド移動可能なスライド部材８ｂが通されている。スライド部材８ｂの内側に延びる部分はワイヤー６に連結されており、外側に延びる部分の端には、スライド部材８ｂを筒部８ａに押し込んだり引っ張ったりする操作を容易にする取っ手部８ｃが設けられている。スライド部材８ｂはワイヤー６自体であってもよい。
【００１９】
ワイヤー６の、プラグ１内に延びる部分は、ワイヤーホルダ７内を通されて、図５に示すように、スライド部８ｂを矢印Ｅで示すように押し込んだ時に、矢印Ｆで示すように、プラグ１の筐体の、差込部１ａが突出している面の所定の位置から突出するように案内されている。図に示す例では、プラグ１には、２つの差込部１ａが設けられており、ワイヤー６は、これらの差込部１ａ間の中央の位置から突き出る構成になっている。
【００２０】
操作部８は、スライド部８ｂを所定の長さだけ引き出したり、押し込んだりできるように構成されており、図４に示すように、スライド部８ｂを筒部８ａからいっぱいに引き出した状態では、ワイヤー６の、プラグ１側の端部は、プラグ１内に完全に引っ込む。したがって、プラグ１を図４の矢印Ｄで示すようにコンセント３に差し込む時には、このようにワイヤー６を引っ込めておけば、ワイヤー６が邪魔になることはない。
【００２１】
一方、スライド部８ｂを筒部８ａ内にいっぱいに押し込むと、ワイヤー６は、プラグ１の筐体から差込部１ａ以上に突き出る。この際、ワイヤー６がコンセント３に当接して、これを押す力の反作用として、プラグ１の筐体には、矢印Ｇで示すように、差込部１ａを差込口３ａから抜く方向に力が加わる。これによって、プラグ１はコンセント３から抜ける。この際、ワイヤー６の先端が２つの差込部１ａ間の中央の位置から突出することによって、各差込部１ａに、均等に真っ直ぐに差込口３ａから抜く方向の力を加えることができ、それによって、安定してスムースに差込部１ａを差込口３ａから抜くことができる。
【００２２】
以上のように、本実施形態でも、操作者は、プラグ１のところまで移動することなく、機器本体側に設けられた操作部８で操作することによって、プラグ１をコンセント３から抜くことができ、操作が楽になる。また、本実施形態の構成では、ワイヤー６は機器本体のアースとして利用することも可能である。
【図面の簡単な説明】
【００２３】
【図１】本発明の第１の実施形態に係る電源コードの概略構造を示す図である。
【図２】図１の電源コードのプラグをコンセントに差し込んだ状態を示す図である。
【図３】図１の電源コードのプラグをコンセントに差し込んだ後、コンセントから抜く際の動作を示す図である。
【図４】本発明の第２の実施形態に係る電源コードの、プラグをコンセントに差し込んだ状態を示す図である。
【図５】図４の電源コードのプラグをコンセントから抜く動作を示す図である。
【符号の説明】
【００２４】
１    プラグ
１ａ    差込部
２    コード部
３    コンセント
３ａ    差込口
４ａ    ソレノイド
４ｂ    棒部材
５    壁
６    ワイヤー
７    ワイヤーホルダ
８    操作部
８ａ    筒部
８ｂ    スライド部
８ｃ    取っ手部
【図１】
2005166405.tif 000003
【図２】
2005166405.tif 000004
【図３】
2005166405.tif 000005
【図４】
2005166405.tif 000006
【図５】
2005166405.tif 000007